(57)【要約】【課題】  ユーザが殆ど認識できない形式で付加情報を出力画像に埋め込むこと。【解決手段】  信号生成器５２で、埋め込みデータ列５０２のビット信号に従い、対応した走査区間において信号を変調するか否かを決定する。すなわち、埋め込みデータビット５０ｘは０で、これに対応した区間ｘには変調を行わない。この結果、画像信号は５０４となる。埋め込みデータビット５０ｙは１で、これに対応した区間ｙには、元の画像信号の周波数と異なる任意の周波数になるように変調を実行する。この結果、画像信号は５０６の様に変調される。このように、埋め込みデータ５０２は、画像データの走査周波数の変化として出力信号に埋め込まれる。【選択図】  図５
2006121223.tif 000002
【特許請求の範囲】
【請求項１】
入力画像に応じた画像データに基づき感光体を走査して該感光体に潜像を形成し、該潜像に基づく出力画像をプリント媒体に出力する画像形成装置において、
前記画像データを一走査区間毎に複数に分割し、分割された前記画像データの各部分を付加情報で変調することで、該付加情報を前記画像データに埋め込む手段と、
該付加情報が埋め込まれた前記画像データで光源を駆動した光ビームにより前記像担持体を走査する手段と、
前記走査して形成された潜像に基づき、前記入力画像に前記付加情報を埋め込まれた出力画像をプリント媒体に印刷する手段と
を備えたことを特徴とする画像形成装置。
【請求項２】
請求項１に記載の画像形成装置において、
前記付加情報は符号情報であり、
前記埋め込む手段は、該符号情報が所定値のときには前記画像データの対応する部分を周波数変調または位相変調し、所定値でないときには前記画像データの対応する部分を変調しないことを特徴とする画像形成装置。
【請求項３】
請求項１または２に記載の画像形成装置において、
前記感光体は異なる色毎に複数備えられ、
該異なる色の複数の潜像に基づくカラー出力画像を前記プリント媒体に印刷する手段を備え、
前記入力画像の任意の一つの色成分について、前記埋め込む手段と、前記走査する手段と、前記印刷する手段が動作することを特徴とする画像形成装置。
【請求項４】
請求項３に記載の画像形成装置において、
前記異なる色は３原色であり、前記一つの色成分はイエローであることを特徴とする画像形成装置。
【請求項５】
請求項１または２に記載の画像形成装置において、
前記画像データの前記一走査区間の所定部分についてのみ、前記埋め込む手段と、前記走査する手段と、前記印刷する手段が動作することを特徴とする画像形成装置。
【請求項６】
入力画像に応じた画像データに基づき感光体を走査して該感光体に潜像を形成し、該潜像に基づく出力画像をプリント媒体に出力する画像形成方法において、
前記画像データを一走査区間毎に複数に分割し、分割された前記画像データの各部分を付加情報で変調することで、該付加情報を前記画像データに埋め込むステップと、
該付加情報が埋め込まれた前記画像データで光源を駆動した光ビームにより前記像担持体を走査するステップと、
前記走査するステップにおいて形成された潜像に基づき、前記入力画像に前記付加情報を埋め込まれた出力画像をプリント媒体に出力するステップと
を有することを特徴とする画像形成方法。
【請求項７】
請求項６に記載の画像形成方法において、
前記付加情報は符号情報であり、
前記埋め込むステップでは、該符号情報が所定値のときには前記画像データの対応する部分を周波数変調または位相変調し、所定値でないときには前記画像データの対応する部分を変調しないことを特徴とする画像形成方法。
【請求項８】
入力画像に応じた画像データに基づき感光体を走査して該感光体に潜像を形成し、該潜像に基づく出力画像をプリント媒体に出力する画像形成方法のための命令を含むプログラムであって、該命令が、
前記画像データを一走査区間毎に複数に分割し、分割された前記画像データの各部分を付加情報で変調することで、該付加情報を前記画像データに埋め込むステップと、
該付加情報が埋め込まれた前記画像データで光源を駆動した光ビームにより前記像担持体を走査するステップと、
前記走査するステップにおいて形成された潜像に基づき、前記入力画像に前記付加情報を埋め込まれた出力画像をプリント媒体に出力するステップ
を処理装置に実行させることを特徴とするプログラム。
【請求項９】
入力画像に応じた画像データに基づき感光体を走査して該感光体に潜像を形成し、該潜像に基づく出力画像をプリント媒体に出力する画像形成方法のための命令を記憶したコンピュータ可読記憶媒体であって、該命令が、
前記画像データを一走査区間毎に複数に分割し、分割された前記画像データの各部分を付加情報で変調することで、該付加情報を前記画像データに埋め込むステップと、
該付加情報が埋め込まれた前記画像データで光源を駆動した光ビームにより前記像担持体を走査するステップと、
前記走査するステップにおいて形成された潜像に基づき、前記入力画像に前記付加情報を埋め込まれた出力画像をプリント媒体に出力するステップ
を処理装置に実行させることを特徴とするコンピュータ可読記憶媒体。
【発明の詳細な説明】
【技術分野】
【０００１】
本発明は画像形成装置および画像形成方法に関する。特に詳細には本発明は、記録紙上に出力画像データと共に、データ固有情報や偽造防止情報その他の情報データを不可視データとして画像出力を行うことのできる、デジタル複写機やデジタルプリンタ等の画像形成装置および画像形成方法に関する。
【背景技術】
【０００２】
近年、偽造防止や著作権保護、ネットワークを介したオリジナルデータの検索サービスなどの提供を目的とし、印刷物に対して、付加情報を埋め込む技術が普及しつつある。
【０００３】
例えば、特許文献１に開示されている画像処理装置は、予め原稿内に埋め込まれているデジタルの付加情報を読み取り、機密情報であるか否かを判断し、それにより読み取った原稿画像の出力を許可するか否かを判断している系を備えている。
【０００４】
特許文献２に開示されている画像形成システムは、画像読取装置で読み取りを実行した原稿に埋め込まれているデジタル付加情報を画像形成装置の読み取り部から読み出し、この付加情報に記憶されているアクセス情報から、サーバに保存されているオリジナル画像データを検索、データ読み出しを行い、このオリジナルデータを出力する系を備えている。
【０００５】
いずれもユーザの利便性を飛躍的に高めるサービスの提供がこれらの技術により可能となるが、これらの技術を実現するためには、さまざまな情報を記録紙上へ形成する出力画像に対して不可情報を埋め込む手段の実現が必須となる。
【０００６】
そこで、埋め込み情報を出力する系としては、特許文献３において、ユーザには目視可能であるが、その情報の意味が判別不可能な図形データ（いわゆるバーコード）を埋め込む系が開示されている。他にも、ユーザの目視が可能な形式でオリジナル画像に対して、付加画像を合成し、出力画像を生成する系等が提案されている。
【０００７】
特許文献４は、ユーザの目視で認識しにくい色（イエロー等）のトナーで付加情報に対応した特定のパターンを出力画像に隠匿する系を提案している。
【０００８】
さらに、特許文献５、特許文献６等では、赤外線にのみ反応するトナーを用いてユーザに不可視な付加情報を出力する系が提案されている。
【０００９】
【特許文献１】特開平０６−０２００２７号公報
【特許文献２】特願平９−２４２８３１号公報
【特許文献３】特開２００２−２８１２７５号公報
【特許文献４】特開平４−２９４６８２号公報
【特許文献５】特開２００２−２５１１１４号公報
【特許文献６】特開２００２−２４０３８７号公報
【発明の開示】
【発明が解決しようとする課題】
【００１０】
上述のように、ユーザの目視認識が可能な形式でオリジナル画像に対して、付加画像を合成出力する系は、すでに多くの系が知られている。
【００１１】
しかし、特許文献１〜４の技術では、これらのユーザの目視が可能な形式でオリジナル画像に対して、付加画像を合成出力するためには、オリジナル画像に対してデータ加工することが必須であり、元画像に対してデータが欠落してしまう欠点がある。特に写真画像などに付加情報を加える場合、元画像を劣化させることは、画像を利用するユーザにとって不利益となる。
【００１２】
また、ユーザに目視しにくい色で付加情報を出力画像と合成して出力する場合においても、画像の余白部分や画像の濃度の薄い部分に対して付加情報を合成すると、やはり、付加情報部分が目立ち、元画像を劣化させる欠点を有している。
【００１３】
一方、特許文献５，６の技術では、付加情報を添付するために、赤外線反応トナーによる画像形成手段を画像形成装置に組み込む必要があり、機器が高価になってしまう。また付加情報を読み取るための画像読取装置に関しても、赤外線反応トナーに対応した専用の読取手段が必要となってしまう。
【００１４】
本発明の目的は、ユーザが殆ど認識できない形式で付加情報を出力画像に埋め込むことができる画像形成装置および画像形成方法を提供することである。
【００１５】
本発明の別の目的は、ユーザによる認識が困難な形式で付加情報を出力画像に埋め込むことができる画像形成装置および画像形成方法を提供することである。
【００１６】
本発明のさらに別の目的は、出力画像に対する影響を最小限に抑えて付加情報を出力画像に埋め込むことができる画像形成装置および画像形成方法を提供することである。
【課題を解決するための手段】
【００１７】
上述の目的を達成するために請求項１の画像形成装置は、入力画像に応じた画像データに基づき感光体を走査して該感光体に潜像を形成し、該潜像に基づく出力画像をプリント媒体に出力する画像形成装置において、前記画像データを一走査区間毎に複数に分割し、分割された前記画像データの各部分を付加情報で変調することで、該付加情報を前記画像データに埋め込む手段と、該付加情報が埋め込まれた前記画像データで光源を駆動した光ビームにより前記像担持体を走査する手段と、前記走査して形成された潜像に基づき、前記入力画像に前記付加情報を埋め込まれた出力画像をプリント媒体に印刷する手段とを備えたことを特徴とする。
【００１８】
上述の別の目的を達成するために請求項３の画像形成装置はさらに、前記感光体は異なる色毎に複数備えられ、該異なる色の複数の潜像に基づくカラー出力画像を前記プリント媒体に印刷する手段を備え、前記入力画像の任意の一つの色成分について、前記埋め込む手段と、前記走査する手段と、前記印刷する手段が動作することを特徴とする。
【００１９】
上述のさらに別の目的を達成するために請求項５の画像形成装置はさらに、前記画像データの前記一走査区間の所定部分についてのみ、前記埋め込む手段と、前記走査する手段と、前記印刷する手段が動作することを特徴とする。
【００２０】
上述の目的を達成するために請求項６の画像形成方法は、入力画像に応じた画像データに基づき感光体を走査して該感光体に潜像を形成し、該潜像に基づく出力画像をプリント媒体に出力する画像形成方法において、前記画像データを一走査区間毎に複数に分割し、分割された前記画像データの各部分を付加情報で変調することで、該付加情報を前記画像データに埋め込むステップと、該付加情報が埋め込まれた前記画像データで光源を駆動した光ビームにより前記像担持体を走査するステップと、前記走査するステップにおいて形成された潜像に基づき、前記入力画像に前記付加情報を埋め込まれた出力画像をプリント媒体に出力するステップとを有することを特徴とする。
【００２１】
さらに、請求項８のプログラムは上記画像形成方法の各ステップを処理装置に実行させる命令を含み、請求項９のコンピュータ可読記憶媒体は上記命令を記憶することを特徴とする。
【発明の効果】
【００２２】
請求項１および請求項６の発明によれば、入力画像に応じた画像データを一走査区間毎に複数に分割し、分割された前記画像データの各部分を付加情報で変調することで、該付加情報を前記画像データに埋め込み、該付加情報が埋め込まれた前記画像データで光源を駆動した光ビームにより前記像担持体を走査し、前記走査して形成された潜像に基づき、前記入力画像に前記付加情報を埋め込まれた出力画像をプリント媒体に印刷する構成により、画像データを走査区間毎に、周波数変調または位相変調を施すことで付加情報を埋め込むことが可能となり、出力画像においては、ユーザが殆ど認識できない形式で出力画像に付加情報を埋め込むことができる。
【００２３】
請求項３の発明によれば、カラー画像を出力するカラー画像形成装置において、入力画像の任意の一つの色成分について、前記埋め込む手段と、前記走査する手段と、前記印刷する手段が動作する構成により、例えばユーザの目視による識別が困難な一色に対してのみ付加情報の埋め込みを行って、ユーザによる付加情報の認識をより困難とすることができる。
【００２４】
請求項５の発明によれば、前記画像データの前記一走査区間の所定部分についてのみ、前記埋め込む手段と、前記走査する手段と、前記印刷する手段が動作する構成により、所定部分のみに付加情報を埋め込むことが可能となり、出力画像に対する影響を最小限に抑えることができる。
【発明を実施するための最良の形態】
【００２５】
以下、本発明の実施の形態を図面に基づいて具体的に説明する。
（実施形態１）
図１は、本実施形態に係る画像形成装置の内部構成図である。この画像処理装置は、記録紙であるコピー用紙に原稿画像をプリントして出力する装置である本体画像出力部１０と、原稿から画像データを読み取る装置である本体画像入力部１１と、本体画像入力部１１の上部に装着された自動原稿送り装置１２と、本体画像出力部１０から排出されるコピー用紙を複数のビンに仕分けして排出するためのソータ１３とを備えている。
【００２６】
この画像形成装置はデジタル複写機であり、本体画像入力部１１のＣＣＤ２６により画素化された画像データが読み込まれ、必要な画像処理が行われた後、画像メモリに蓄えられる。その画像データを本体画像出力部１０に転送し、画像形成してコピー用紙にコピーされる。
【００２７】
本体画像入力部１１は、入力部の上面の原稿台に載置された原稿を照射しながら走査する光源２１を備える。光源２１は光学系モータ（図示せず）から駆動力を得て、図１の左右方向に往復駆動する。光源２１から発生した光は、載置された原稿により反射され、光学像が得られる。その光学像はミラー２２、２３、２４及びレンズ２５を介してＣＣＤ２６に伝送される。ミラー２２、２３、２４は光源２１と一体的に駆動される。ＣＣＤ２６は光を電気信号に変換する素子により構成されており、この素子に結像された光学像が電気信号に変換され、さらにデジタル信号（画像データ）に変換される。
【００２８】
これらの画像入力装置における各調整値は、バックアップ記憶装置に記憶される。  
読み込まれた原稿の画像データは、種々の補正処理とユーザの希望する処理による画像処理が加えられ、画像メモリ（図示せず）に蓄積される。  
これらの画像処理装置における各調整値はバックアップ記憶装置に記憶される。
【００２９】
本体画像出力部１０は画像メモリに蓄積された画像データを読み出し、デジタル信号からアナログ信号に再変換し、さらに露光制御部（図示せず）により適正な出力値に増幅され、レーザ部２７により光信号に変換される。その光信号はスキャナー２８、レンズ２９及びミラー３０を伝播して、感光ドラム３１上に照射され、静電潜像が形成される。この潜像はトナーにより画像を形成し、本体内を搬送されてくるコピー用紙上に転写される。
【００３０】
トナー像が転写されたコピー用紙は定着ローラ３２に搬送される。定着ローラ３２はＩＨ方式の発熱手段を内包しており、コピー用紙を加熱・加圧することで、トナー像を定着させる機能を備える。定着ローラ３２の詳細は図２で説明される。
【００３１】
定着後、コピー用紙はソータ１３に搬送される。  
ソータ１３は本体画像出力部１０の左側に設置されている装置であり、本体画像出力部１０から出力されたコピー用紙を排紙トレイ３３に仕分けして排紙する処理を行う。排紙トレイ３３は本体制御部（図示せず）により制御され、出力されたコピー用紙は制御部の指示した任意の排紙トレイに排出される。
【００３２】
給紙トレイ３４、３５は本体下部にあり、コピー用紙をある程度蓄積しておくことができる。制御部により、給紙トレイ３４、３５に積載されたコピー用紙を搬送し、画像出力を行う。給紙デッキ３６は本体画像出力部１０の右側に設置されている装置で、コピー用紙を大量に積載しておくことができる。給紙トレイ３４、３５と同様に制御部によりコピー用紙を搬送し、画像出力を行う。
【００３３】
給紙トレイ３４、３５は操作者により紙がセットされるが、その際、紙のサイズや向きの設定が行われる。この設定データはバックアップ記憶装置に記憶される。
【００３４】
本体画像出力部１０の右側に、操作者が少数の任意種類のコピー用紙を給紙するための手差しトレイ３７が設置されている。手差しトレイ３７は、ＯＨＰシートや厚紙、はがきサイズ紙など特殊な記録用紙を使用する場合にも使用される。
【００３５】
給紙ローラ３８、３９、４０、４１、４２は紙搬送ローラであり、各ローラはコピー出力処理の給紙を行う際、コピー用紙を実際に搬送する役割を担っている。
【００３６】
図２は、本実施形態に係る画像形成装置が備える画像データ書き込み部の構成を示した図である。
【００３７】
図１で説明したように、出力される画像データは、走査ラインの画像データに分解され、さらにレーザ部２７により光信号に変換される。レーザ部２７からの光ビームは、スキャナー２８、レンズ２９及びミラー３０を伝播して、感光ドラム３１上に照射される。
【００３８】
従来の画像形成装置では、この走査ラインデータは固定周波数でレーザにより出力されていた。
【００３９】
しかし、近年、高周波回路の技術が進歩し、この走査ラインデータの周波数を任意に変調してレーザより出力する技術が確立した。本発明の画像形成装置はこの技術を応用したものである。
【００４０】
図３は、本実施形態に係る画像形成装置が備える画像信号処理部の詳細構成を示した図である。
【００４１】
走査ラインデータに変換された画像信号３０２は信号生成器５２に入力される。出力画像に対して埋め込まれるデータ信号３０４も、信号生成器５２に入力される。信号生成器５４で合成された信号は、ドライバ５４で変換・増幅されてレーザ部２７を駆動する。レーザ部２７は、既に説明したように、この信号に対応した光信号を発生し、感光体３１上を走査して潜像を形成する。
【００４２】
信号生成器５４での信号処理について、図４および図５を参照して説明する。  
図４は、画像データ書き込み部による走査区間の領域分割の概要を示した図である。
【００４３】
図２および図３で既に説明したが、画像データより変換された走査ラインデータは、通常元画像データの画素に対応した周波数により、光信号１０２で感光体３１上を回転軸方向に走査される。
【００４４】
信号生成器５２では、４００で示されているように、この周波数を一走査線上でｎ個の区間ｆ１，ｆ２，…，ｆｎに分割し、各区間に対して、埋め込みデータに応じて画像データの周波数を変調することができる。
【００４５】
図５は、実施形態１における画像データに付加情報を埋め込む信号処理の概要を示した図である。
【００４６】
信号生成器５２で、埋め込みデータ列５０２のビット信号に従い、画像データの対応する走査区間に対して、信号の変調を加えるか否かを決定する。
【００４７】
すなわち、埋め込みデータビット５０ｘはデータ０であるため、これに対応した画像データの区間ｘに対しては変調処理を行わない。この結果、画像信号は５０４となる。
【００４８】
一方、次の埋め込みデータビット５０ｙはデータ１であるため、これに対応した画像データの区間ｙに対しては、元の画像信号の周波数と異なる任意のある周波数になるように変調処理を実行する。この結果、画像信号は５０６の様に周波数変調される。
【００４９】
このように、埋め込みデータ５０２は、信号生成器５２により画像データの周波数の変化として出力信号に埋め込まれる。
【００５０】
図６は、実施形態１における出力画像への付加情報の影響を説明する図である。
出力画像６０２はユーザの目視では、ほとんど元画像データと同じイメージが出力されている。しかし、出力画像６０２のデータ細部６０４でみると、区間ｘに対応したドット６０ｘは通常のドットで再現されている。また区間ｙに対応したドット６０ｙはドット６０ｘと異なる間隔で再現されているのが分かる。
【００５１】
すなわち、本実施形態の画像形成装置においては、埋め込みデータは出力画像のデータのドット間隔の差として表現されており、出力画像においては、ユーザが殆ど認識できない形式で出力画像に付加情報を埋め込むことができる。
また埋め込まれるデータ量は、走査区間の分割数ｎに依存する。
【００５２】
（実施形態２）
実施形態２においても、実施形態１で説明した画像形成装置の基本構成である図１から図４と同様の構成を備える。
【００５３】
図７は、実施形態２における画像データに付加情報を埋め込む信号処理の概要を示した図である。
【００５４】
信号生成器５２で、埋め込みデータ列５０２のビット信号に従い、画像データの対応する走査区間に対して、信号の変調を加えるか否かを決定する。
【００５５】
すなわち、埋め込みデータビット５０ｘはデータ０であるため、これに対応した画像データの区間Ｘに対しては、変調処理を行わない。この結果、画像信号は７０４となる。
【００５６】
一方、次の埋め込みデータビット５０ｙはデータ１であるため、これに対応した区間Ｙに対しては、元の画像信号と異なる任意のある位相になるように変調処理を実行する。この結果、画像信号は７０６の様に位相変調される。
【００５７】
このように、埋め込みデータ５０２は、信号生成器５２により画像データの位相の変化として出力信号に埋め込まれる。
【００５８】
図８は、実施形態２における出力画像への付加情報の影響を説明する図である。
出力画像８０２はユーザの目視では、ほとんど元画像データと同じイメージが出力されている。しかし、出力画像８０２のデータ細部８０４でみると、区間Ｘに対応したドット８０ｘは基準のドット間隔で再現されている。
【００５９】
一方、信号区間Ｙに対応したドット８０ｙはドット８０ｘと異なるドット位置で再現されているのが分かる。
【００６０】
すなわち、本実施形態の画像形成装置においても、埋め込みデータは出力画像のデータのドット間隔の差として表現されており、出力画像においては、ユーザが殆ど認識できない形式で出力画像に付加情報を埋め込むことができる。
また埋め込まれるデータ量は、走査区間の分割数ｎに依存する。
【００６１】
（実施形態３）
実施形態３においても、画像形成装置の基本概要は実施形態１および実施形態２と同様であるため、割愛する。
【００６２】
他の実施形態にない本実施形態の特徴は、原色毎の画像データ書き込み部をもち、各色を重ね合わせて出力画像の色調を再現する画像形成装置で、ユーザに目視による認識が難しいイエロー等に対応した画像信号に対して、実施形態１および実施形態２で説明した信号処理を施すことである。
【００６３】
これにより、ユーザの目視による識別が困難な色に対してのみ付加情報の埋め込みが可能であり、よりユーザによる認識を困難とすることができる。
【００６４】
（他の実施形態）
上記各実施形態は、画像データを一走査区間毎に複数に分割して、分割された画像データの各部分を変調し、付加情報の埋め込みを行う構成を備えるものであったが、これとは異なり本実施形態は、画像データの一走査区間のうちの特定区間に限定して上記と同様の処理を行う構成を備える。
【００６５】
この構成により、出力画像の特定位置（例えば走査区間の両端など、目立たない位置）のみに付加情報を埋め込むことが可能となり、付加情報の出力画像に対する影響を最小限に抑えることができる。
【００６６】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６７】
また、本発明の目的は、前述した実施例の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施例の機能を実現することになり、そのプログラムコードを記憶した記憶媒体は本発明を構成することになる。また、コンピュータが読み出したプログラムコードを実行することにより、前述した実施例の機能が実現されるだけでなく、そのプログラムコードの指示に基づき、コンピュータ上で稼働しているオペレーティングシステム(OS)などが実際の処理の一部または全部を行い、その処理によって前述した実施例の機能が実現される場合も含まれることは言うまでもない。
【００６８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施例の機能が実現される場合も含まれることは言うまでもない。
【００６９】
本発明を上記記憶媒体に適用する場合、その記憶媒体には、先に説明したフローチャートに対応するプログラムコードが格納されることになる。
【図面の簡単な説明】
【００７０】
【図１】本発明に係る画像形成装置の内部構成図である。
【図２】本発明に係る画像形成装置が備える画像データ書き込み部の構成を示した図である。
【図３】本発明に係る画像形成装置が備える画像信号処理部の詳細構成を示した図である。
【図４】画像データ書き込み部による走査区間の領域分割の概要を示した図である。
【図５】実施形態１における画像データに付加情報を埋め込む信号処理の概要を示した図である。
【図６】実施形態１における出力画像への付加情報の影響を説明する図である。
【図７】実施形態２における画像データに付加情報を埋め込む信号処理の概要を示した図である。
【図８】実施形態２における出力画像への付加情報の影響を説明する図である。
【符号の説明】
【００７１】
２７  レーザ部
２８  スキャナー
２９  レンズ
３０  ミラー
３１  感光ドラム
５２  信号生成器
５４  ドライバ
５０２  埋め込みデータ列
【図１】
2006121223.tif 000003
【図２】
2006121223.tif 000004
【図３】
2006121223.tif 000005
【図４】
2006121223.tif 000006
【図５】
2006121223.tif 000007
【図６】
2006121223.tif 000008
【図７】
2006121223.tif 000009
【図８】
2006121223.tif 000010